(57)【要約】【課題】ペットの体毛といった長い繊維状の埃であっても容易に絡め取って、掃除を簡便なものとするモップ用拭布を提供することを解決課題とする。【解決手段】モップ本体２に、このモップ本体２を包み込むようにして装着されるモップ用拭布４であって、前記モップ本体２が挿入される開口部４ａが形成された袋状の拭き取り面４ｂを備え、この拭き取り面４ｂに多数のスリットＳが形成されていることを特徴とする。【選択図】図２
0003209074.tif 000002
【実用新案登録請求の範囲】
【請求項１】
モップ本体に、このモップ本体を包み込むようにして装着されるモップ用拭布であって、前記モップ本体が挿入される開口部が形成された袋状の拭き取り面を備え、この拭き取り面に多数のスリットが形成されていることを特徴とするモップ用拭布。
【請求項２】
前記開口部に、この開口部を縮めることにより、前記拭き取り面を前記モップ本体の表面に沿わせる伸縮部材が装着されていることを特徴とする請求項１に記載のモップ用拭布。
【請求項３】
前記拭き取り面の内側に、不織布からなる裏当て材が設けられていることを特徴とする請求項１または請求項２に記載のモップ用拭布。
【考案の詳細な説明】
【技術分野】
【０００１】
本考案は、平板状のモップ本体に、このモップ本体を包み込むようにして装着される拭布に関するものである。
【背景技術】
【０００２】
従来、床等の拭き掃除にモップが用いられており、このモップは、たとえば、特許文献１に示されるように、把手の先に取り付けられた平板状のモップ本体に、このモップ本体を包み込むようにして拭布を装着した構成となっている。
【０００３】
このモップは、前記把手により、前記モップ本体に装着された前記拭布を、床面に押し付けながら滑らすことにより、床面の乾拭き等を行なうようにしたものである。
【０００４】
そして、前記拭布は不織布によって形成されており、この不織布の繊維間に埃を絡め取るようにして掃除を行なうようにしている。
【０００５】
また、通常、拭布のモップ本体への装着は、拭布でモップ本体を包み込んだ後に、この拭布を、モップ本体に形成されている４カ所の差し込み口に指で差し込んで固定することによって行なっている。
【先行技術文献】
【特許文献】
【０００６】
【特許文献１】特開２００８−２９５５４５号公報
【考案の概要】
【考案が解決しようとする課題】
【０００７】
ところで、従来のモップ用拭布は、前述したように、床面の埃を不織布の繊維間に絡め取ることにより、前記埃を拭き取るようにしている。
【０００８】
しかしながら、前述した埃がペットの体毛といった長い繊維状のものであると、この体毛が不織布の繊維間に入り込まず絡め取ることができない場合がある。
【０００９】
したがって、このような長い繊維状の埃は、前記モップによって掻き集めるだけとなり、掻き集めた埃は他の手段によって回収しなければならない。
【００１０】
このように、従来の拭布を用いた場合にあっては、掃除が面倒であるといった不具合があった。
【００１１】
また、前述した拭布の装着方法では、拭き取り作業中に拭布が差し込み口から離脱し、拭布が外れてしまうことが頻発しており、その都度拭布を留め直さなければならず、面倒である。
【００１２】
さらに、拭布を差し込み口に差し込む際に、指を挟んでしまうこともしばしばである。
【００１３】
本考案は、前述した従来の技術において残されている問題点を解決せんとしてなされたもので、ペットの体毛といった長い繊維状の埃であっても容易に絡め取って良好な清掃を可能にしつつ、拭布の安定した装着を確保することのできるモップ用拭布を提供することを解決課題とする。
【課題を解決するための手段】
【００１４】
本考案の請求項１に記載のモップ用拭布は、前述した課題を解決するために、モップ本体に、このモップ本体を包み込むようにして装着されるモップ用拭布であって、前記モップ本体が挿入される開口部が形成された袋状の拭き取り面を備え、この拭き取り面に多数のスリットが形成されていることを特徴としている。
【００１５】
このような構成のモップ用拭布は、その内部に前記開口部を経て前記モップ本体を挿入することにより、前記拭き取り面が前記モップ本体を包み込んだ状態で装着される。
【００１６】
これより、前記拭布を前記モップ本体によって床面等に押しつけながら滑らすように移動させることにより、この床面の拭き掃除を行なうことができる。
【００１７】
このような前記拭布の移動によって、床面の細かな埃は、前記拭き取り面の前記スリット間の面において、その繊維間に絡め取られる。
また、長い繊維状の埃は、前記スリットに入り込むことによって絡め取られる。
【００１８】
このように、本考案のモップ用拭布によれば、細かな埃のみならず繊維状の埃も一緒に絡め取ることができ、掃除を楽に行なうことができる。
【００１９】
一方、前記拭布が汚れた際に、この拭布を前記モップ本体から取り外す必要があるが、その際に、前記拭布を、その拭き取り面を内側に引き込むように裏返しながら取り外すことができる。
【００２０】
したがって、前記拭き取り面によって絡め取られた埃を包み込みながら前記拭布を取り外すことができる。
これによって、捕獲した埃が脱落することを防止することができる。
【００２１】
本考案では、前記開口部に、この開口部を縮めることにより、前記拭き取り面を前記モップ本体の表面に沿わせる伸縮部材を設けておくことが好ましい。
【００２２】
このような構成とすることにより、前記伸縮部材によって前記拭き取り面を前記モップ本体の表面に沿わせた状態に保持して、拭き取り作業時に拭布の不用意な動きを拘束してその離脱を抑制し、安定した拭き取りを可能にする。
【００２３】
そして、前記拭布を前記モップ本体に被せるように装着することができるので、前記拭布の簡便な着脱が可能である。
【００２４】
また、前記拭き取り面の内側に、不織布からなる裏当て材を設けておくこともできる。
【００２５】
このような裏当て材を設けておくことにより、前記スリットから入り込んだ細かな埃を前記裏当て材によって捕獲することができ、絡め取った細かな埃が落下して掃除後の床面が汚れてしまうことを防止することができる。
【考案の効果】
【００２６】
本考案によれば、細かな埃だけでなく繊維状の埃も絡め取って円滑な掃除を行なうことができ、かつ、拭布を安定して保持して清掃作業を容易なものとすることができる。
【図面の簡単な説明】
【００２７】
【図１】本考案の第１の実施形態を示すもので、拭布をモップに装着した状態を示す正面図である。
【図２】本考案の第１の実施形態を示すもので、拭布をモップに装着した状態を示す要部の斜視図である。
【図３】本考案の第１の実施形態を示すもので、拭布の斜視図である。
【図４】本考案の第１の実施形態を示すもので、拭布の作成手順を示す概略図である。
【図５】本考案の第１の実施形態を示すもので、拭布の作成手順を示す概略図である。
【図６】本考案の第１の実施形態を示すもので、拭布の作成手順を示す概略図である。
【図７】本考案の第１の実施形態を示すもので、拭布の作成手順を示す概略図である。
【図８】本考案の第１の実施形態を示すもので、拭布の作成手順を示す概略図である。
【図９】本考案の第１の実施形態を示すもので、拭布の作成手順を示す概略図である。
【図１０】本考案の第１の実施形態を示すもので、拭布の作成手順を示す概略図である。
【図１１】本考案の第１の実施形態を示すもので、拭布の作成手順を示す平面図である。
【図１２】本考案の第２の実施形態を示すもので、不織布の分解斜視図である。
【図１３】本考案の第２の実施形態を示す正面図である。
【図１４】本考案の第３の実施形態を示す正面図である。
【考案を実施するための形態】
【００２８】
以下、本考案の一実施形態を、図面を参照して説明する
図１において、符号１は本実施形態が適用されたモップを示すもので、矩形状の平板によって形成されたモップ本体２と、このモップ本体２の上面中央に連設された取っ手３とによって構成され、前記モップ本体２に本実施形態に係わる拭布４が装着されている。
【００２９】
本実施形態に係わる拭布４は、薄い不織布によって形成されており、図２および図３に示すように、前記モップ本体２が挿入される開口部４ａが形成された袋状の拭き取り面４ｂを備え、この拭き取り面４ｂに多数のスリットＳが形成された構成となっている。
【００３０】
本実施形態においては、前記開口部４ａに、この開口部４ａを弾性的に狭めることにより、前記拭き取り面４ｂを前記モップ本体の表面に沿わせる伸縮部材５が装着されている。
【００３１】
このように構成された本実施形態の拭布４は、前記伸縮部材５を伸ばして前記開口部４ａを大きく開放した状態で、この開口部４ａに前記モップ本体２を挿入した後に、前記伸縮部材５を収縮させて前記開口部４ａを狭めることにより、前記拭き取り面４ｂによって前記モップ本体２のほぼ全周を覆うようにして、このモップ本体２に装着される。
【００３２】
このようにして前記拭布４が装着されたモップ１を用いて床等の拭き掃除を行なう。
【００３３】
この拭き掃除は、前記取っ手３によって前記モップ本体２を床面に押しつけつつこの床面に沿って移動させることにより、前記拭布４によって前記床面を拭く。
【００３４】
このような操作に際して、前記床面上の細かな埃は、前記拭き取り面４ｂの前記スリットＳが形成されていない部分において、その繊維間に絡め取られる。
【００３５】
また、繊維状の長めの埃は、前記拭き取り面４ｂに形成されている前記スリットＳによって絡め取られ、あるいは、このスリットＳ内に入り込むことによって捕獲される。
【００３６】
このように、細かな埃や長めの繊維状の埃の何れも拭き取ることができ、簡便な拭き掃除が可能となる。
【００３７】
ここで、前記スリットＳが形成された部位において不連続部が形成されていることにより、このスリットＳの周縁部に高低差ができ、これによって、前記拭き取り面４ｂが凹凸となる。
この凹凸により、前述した長めの埃が絡みやすくなり、その拭き取り効果が促進される。
【００３８】
また、前述した凹凸により、床面との接触抵抗が軽減されて、前記モップ１の移動が円滑なものとなり、掃除が楽になる。
【００３９】
さらに、前記凹凸により、前記拭布４が床面に密着することが抑制されるため、たとえば、前記床面が濡れている場合にあっても、前記拭布４の滑りが確保され、この点からも、前記モップ１の操作を容易にし、掃除を楽にすることができる。
【００４０】
そして、前記拭布４を装着する際に、この拭布４内を前記モップ本体２に被せるだけで装着することができ、その操作が容易である。
【００４１】
かつ、装着された前記拭布４は、前記モップ本体２を包み込むようにして装着されていることにより、この拭布４が前記モップ本体２に安定して装着される。
【００４２】
したがって、清掃中における前記拭布４の不用意な脱落が抑制され、安定した作業を確保することができる。
【００４３】
そして、前記拭布４が汚れて取り外す際には、前記拭布４の開口部４ａを広げるとともに、その拭き取り面４ｂを内側に取り込むようにして取り外すことができる。
【００４４】
これによって、前記拭き取り面４ｂに付着した埃を包み込むようにして、前記拭布４を取り外すことができ、埃の脱落が防止されて清掃後の床面等を汚すこと、また、使用者の手を汚すことを抑制することができる。
【００４５】
本実施形態に係わる拭布４は、たとえば、図４ないし図１１に示す手順によって形成される。
【００４６】
まず、図４に示すように、一辺に開口部Ａが形成されている袋Ｂを、図５および図６に示すように、その底部から前記開口部Ａへ向けて蛇腹状に折り込み、図７に示すように、折り畳んだ部分を接触させるように圧縮する。
【００４７】
次いで、その外側の両側面に、図７に示すように、前記開口部Ａに沿うように前記伸縮部材５を伸ばした状態で固着した後に、これらの伸縮部材５の各端部を、図８に示すように、前記折り畳まれた袋Ｂの端部とともに圧着して、図９に示すように一体化する。
【００４８】
このように、前記伸縮部材５が伸ばされた状態で固着された前記折り畳まれた袋Ｂを、前記伸縮部材５の両側で、この伸縮部材５と直交し、かつ、前記伸縮部材５の長さ方向に間隔をおいた複数箇所において切り込む（図１０に切り込みＣで示した）。
【００４９】
ついで、前記伸縮部材５の引っ張りを開放することによって、その弾性により、前記袋Ｂを収縮させる。
これによって、図１１に示すように、前記袋Ｂが折り畳まれた状態で波形に縮められて、本実施形態の拭布４が製作される。
【００５０】
そして、前記開口部Ａにそって固着されている前記両伸縮部得材５は、その両端部において、前記折り畳まれた袋Ｂの両端部とともに連結されて環状となされている。
【００５１】
前記拭布４を使用する際には、前記両伸縮部材５を離間させて前記開口部Ａを開放した後に、前記両伸縮部材５間に位置する折り畳まれた前記袋Ｂを、前記環状の伸縮部材５の一方向に押し出す。
これによって、図３に示すような袋状の拭布４として、前記モップ本体２への装着が可能となる。
【００５２】
なお、前記実施形態において示した各部の形状や寸法、あるいは、製造手順等は一例であって、設計要求等に基づき種々変更可能である。
【００５３】
たとえば、図１２に示すように、前記拭布４と略同一形状で、前記スリットＳのない不織布からなる裏当て材１０を用意しておき、この裏当て材１０を前記拭布４の内側に挿入して、図１３に示すように、これらを一体的に使用するようにしてもよい。
【００５４】
このような構成とすることにより、表面にある前記拭布４のスリットＳを通過した細かな埃が前記裏当て材１０によって絡め取られることにより、捕獲した細かな埃の離脱を防止することができる。
【００５５】
また、図１４に示すように、前記裏当て材１０に、前記拭布４を複数枚重ね合わせて使用することもできる。
【００５６】
このように、前記拭布４を複数枚重ねて使用する場合、最上層の前記拭布４を取り外すことによって、即座に新しい拭布４を露出させることができる。
したがって、前記拭布４を取り替える操作が簡便なものとなる。
【符号の説明】
【００５７】
１  モップ
２  モップ本体
３  取っ手
４  拭布
４ａ  開口部
４ｂ  拭き取り面
５  伸縮部材
１０  裏当て材
Ａ  開口部
Ｂ  袋
Ｃ  切り込み
Ｓ  スリット
【図１】
0003209074.tif 000003
【図２】
0003209074.tif 000004
【図３】
0003209074.tif 000005
【図４】
0003209074.tif 000006
【図５】
0003209074.tif 000007
【図６】
0003209074.tif 000008
【図７】
0003209074.tif 000009
【図８】
0003209074.tif 000010
【図９】
0003209074.tif 000011
【図１０】
0003209074.tif 000012
【図１１】
0003209074.tif 000013
【図１２】
0003209074.tif 000014
【図１３】
0003209074.tif 000015
【図１４】
0003209074.tif 000016